(57)【要約】【課題】化粧の手間を軽減するとともに、化粧を行うための支援を行う。【解決手段】化粧コンパクト２は、ＣＣＤカメラ６、ＬＣＤ７、ＣＰＵ２０、顔パーツ識別検出部３１、画像補正部３２、化粧範囲一致判定部３３を備える。ユーザが、自分の顔に眉描きを施し、ＣＣＤカメラ６で自分の顔を撮影する。撮影した画像データは、顔パーツ識別検出部３１により、顔パーツ検出データが付加されてＲＡＭ２６に記憶される。ＲＡＭ２６に画像データを記憶させた翌日に、ユーザが自分の顔を撮影した画像データは、顔パーツ識別検出部３１により、顔パーツ検出データが付加されてバッファメモリ２２に記憶される。画像補正部３２は、記憶画像データと新画像データとにおける対象者Ｔの目のサイズが一致するように、新画像データを補正する。ＣＰＵ２０は、記憶画像Ｐ１と新画像Ｐ２とを、目の位置が一致するように重ねてＬＣＤ７に表示する。【選択図】図２
2008022154.tif 000002
【特許請求の範囲】
【請求項１】
化粧を施した対象者の顔を撮影する撮影手段と、
前記撮影手段で撮影した画像データを表示する表示手段と、
前記撮影手段で撮影した画像データを記憶する記憶手段と、
前記記憶手段に記憶された記憶画像データと前記記憶手段に記憶画像データを記憶させた以降に前記撮影手段で撮影した新画像データとを前記表示手段に表示する制御手段と、を備えたことを特徴とする化粧支援装置。
【請求項２】
前記新画像データ及び前記記憶画像データに基づいて、対象者の顔のパーツを識別し、その位置及びサイズを検出する顔パーツ識別検出手段と、
前記顔パーツ識別検出部の検出結果に基づいて、前記新画像データにおける顔パーツのサイズと前記記憶画像データにおける顔パーツのサイズとが一致するように、前記新画像データと前記記憶画像データとの少なくとも一方の表示画像サイズを補正する補正手段と、を備え、
前記制御手段は、前記補正手段により補正された後、前記新画像データと前記記憶画像データとを、顔パーツの位置が一致するように前記表示手段に重ねて表示することを特徴とする請求項１記載の化粧支援装置。
【請求項３】
前記補正手段は、対象者の顔に施された化粧範囲近傍の顔パーツのサイズが一致するように補正し、
前記制御手段は、少なくとも前記化粧範囲と当該化粧範囲近傍の顔パーツとを前記表示手段に表示することを特徴とする請求項２記載の化粧支援装置。
【請求項４】
前記新画像データにおける対象者の顔に施された化粧範囲と前記記憶画像データにおける対象者の顔に施された化粧範囲とが一致しているか否かを判定する判定手段と、
前記判定手段の判定結果を報知する報知手段と、を備えたことを特徴とする請求項２または３記載の化粧支援装置。
【請求項５】
化粧を施す対象者の顔を撮影する撮影手段と、
前記撮影手段で撮影した画像データを表示する表示手段と、
前記表示手段に表示され、前記撮影手段で撮影した化粧実施前の対象者の化粧前画像データに基づいて、対象者の顔の特定範囲を決定する決定手段と、
前記撮影手段で撮影した化粧実施後の対象者の化粧後画像データに基づいて、前記特定範囲内の画像データを解析する解析手段と、
前記解析手段の解析結果が、予め設定された要素を満足しているか否かを判定する判定手段と、
前記判定手段の判定結果を報知する報知手段と、を備えたことを特徴とする化粧支援装置。
【請求項６】
化粧を施した対象者の顔を撮影した画像データを記憶し、この記憶された記憶画像データと記憶画像データが記憶された以降に対象者を撮影した新画像データとを、表示手段に表示することを特徴とする化粧支援方法。
【発明の詳細な説明】
【技術分野】
【０００１】
本発明は、化粧を支援する化粧支援装置及び方法に関するものである。
【背景技術】
【０００２】
化粧を施す際、例えば、眉描きの場合には、所望する眉形状になるように、眉描き鉛筆により描く。所望する眉形状になるように眉を描く作業は難しく、近年では、所望する眉形状の孔が形成された眉テンプレートを用いて、その孔部分を眉描き鉛筆で塗ることにより、所望の眉を描くことが提案されている。
【０００３】
しかしながら、眉テンプレートを用いて所望の形状の眉を描いたときにも、その位置が所望する位置からズレてしまう等の不満があった。また、化粧は手間のかかるものであり、そのことに苦痛を感じることもある。このため、化粧の手間を軽減する技術が提案されている。
【０００４】
特許文献１では、デジタルカメラで被験者の顔を撮像し、この顔画像データを表示装置に表示し、スイート、クール、キュート、フレッシュの４つのメーキャップイメージタイプのうち、被験者が選択したタイプに応じて、顔画像の頬部分に、頬紅を塗布して表示する頬紅メーキャップシュミレーションシステムが提案されている。
【特許文献１】特開２０００−２７９２２８号公報
【発明の開示】
【発明が解決しようとする課題】
【０００５】
しかしながら、特許文献１では、表示装置上で化粧のシュミレーションを行うことができるが、実際に化粧を施すときには、化粧品及び化粧道具を用いて施すため、化粧の手間を軽減することができないという問題があった。
【０００６】
本発明は、上記課題を解決するためになされたものであり、確実に化粧の手間を軽減することができるとともに、化粧を正確に施すための支援を行うことができる化粧支援装置及び方法を提供することを目的とする。
【課題を解決するための手段】
【０００７】
上記目的を達成するために、本発明の化粧支援装置は、化粧を施した対象者の顔を撮影する撮影手段と、前記撮影手段で撮影した画像データを表示する表示手段と、前記撮影手段で撮影した画像データを記憶する記憶手段と、前記記憶手段に記憶された記憶画像データと前記記憶手段に記憶画像データを記憶させた以降に前記撮影手段で撮影した新画像データとを前記表示手段に表示する制御手段と、を備えたことを特徴とする。
【０００８】
また、前記新画像データ及び前記記憶画像データに基づいて、対象者の顔のパーツを識別し、その位置及びサイズを検出する顔パーツ識別検出手段と、前記顔パーツ識別検出部の検出結果に基づいて、前記新画像データにおける顔パーツのサイズと前記記憶画像データにおける顔パーツのサイズとが一致するように、前記新画像データと前記記憶画像データとの少なくとも一方の表示画像サイズを補正する補正手段と、を備え、前記制御手段は、前記補正手段により補正された後、前記新画像データと前記記憶画像データとを、顔パーツの位置が一致するように前記表示手段に重ねて表示することが好ましい。なお、前記顔パーツ識別検出手段は、複数の顔パーツを識別し、それぞれの位置及びサイズを検出することが好ましい。
【０００９】
さらに、前記補正手段は、対象者の顔に施された化粧範囲近傍の顔パーツのサイズが一致するように補正し、前記制御手段は、少なくとも前記化粧範囲と当該化粧範囲近傍の顔パーツとを前記表示手段に表示することが好ましい。なお、前記化粧範囲としては、眉描き範囲、口紅塗布範囲、マスカラ塗布範囲、ファンデーション塗布範囲、頬紅塗布範囲、アイシャドー塗布範囲等が挙げられる。また、前記化粧範囲近傍の顔パーツとしては、前記化粧範囲が眉描き範囲、マスカラ塗布範囲及びアイシャドー塗布範囲の場合には目、前記化粧範囲が口紅塗布範囲の場合には唇、前記化粧範囲がファンデーション塗布範囲及び頬紅塗布範囲の場合には鼻が挙げられる。
【００１０】
また、前記新画像データにおける対象者の顔に施された化粧範囲と前記記憶画像データにおける対象者の顔に施された化粧範囲とが一致しているか否かを判定する判定手段と、
前記判定手段の判定結果を報知する報知手段と、を備えることが好ましい。なお、前記報知手段としては、ＬＣＤ、スピーカ、ＬＥＤ等が挙げられる。
【００１１】
さらに、本発明の化粧支援装置は、化粧を施す対象者の顔を撮影する撮影手段と、前記撮影手段で撮影した画像データを表示する表示手段と、前記表示手段に表示され、前記撮影手段で撮影した化粧実施前の対象者の化粧前画像データに基づいて、対象者の顔の特定範囲を決定する決定手段と、前記撮影手段で撮影した化粧実施後の対象者の化粧後画像データに基づいて、前記特定範囲内の画像データを解析する解析手段と、前記解析手段の解析結果が、予め設定された要素を満足しているか否かを判定する判定手段と、前記判定手段の判定結果を報知する報知手段と、を備えたことを特徴とする。なお、前記特定範囲としては、化粧により隠したいシミ、シワ、ホクロ、そばかす、あざ等の範囲が挙げられる。また、前記予め設定された要素としては、化粧によりシミ等の前記特定範囲を隠せていること等が挙げられる。
【００１２】
また、本発明の化粧支援方法は、化粧を施した対象者の顔を撮影した画像データを記憶し、この記憶された記憶画像データと記憶画像データが記憶された以降に対象者を撮影した新画像データとを、表示手段に表示することを特徴とする。
【発明の効果】
【００１３】
本発明の化粧支援装置によれば、記憶画像データと新画像データとを表示手段に表示するから、ユーザである対象者は、表示手段の表示内容を確認するだけで、以前に施した化粧と現在施している化粧との違いを容易に認識することができる。
【００１４】
また、新画像データと記憶画像データとを、顔パーツの位置が一致するように表示手段に重ねて表示するから、ユーザである対象者は、より一層容易に、以前に施した化粧と現在施している化粧との違いを容易に認識することができる。
【００１５】
さらに、本発明の化粧支援装置によれば、解析手段により特定範囲内の画像データを解析し、この解析結果が予め設定された要素を満足しているか否かを判定し、この判定結果を報知するから、ユーザである対象者は、特定範囲が予め設定された要素を満たしているかを容易に認識することができ、例えば、予め設定された要素が「シミが隠れていること」の場合には、ユーザにとって化粧により隠したいシミが隠れているか否かを容易に認識することができる。
【００１６】
また、本発明の化粧支援方法によれば、記憶画像データと新画像データとを表示手段に表示するから、ユーザである対象者は、表示手段に表示内容を確認するだけで、以前に施した化粧と現在施している化粧との違いを容易に認識することができる。
【発明を実施するための最良の形態】
【００１７】
図１に示すように、本発明を実施した化粧コンパクト（化粧支援装置）２は、カバー３とコンパクト本体４とを備え、カバー３は蝶番によりコンパクト本体４に開閉自在に取り付けられている。化粧コンパクト２は、撮影を行う撮影モードと、化粧の支援を行う化粧支援モードとで切り換え可能にされている。
【００１８】
カバー３には、撮影レンズ５を有するＣＣＤカメラユニット（撮影手段）６、撮影画像や各種設定条件が表示されるＬＣＤ（表示手段）７、電源のオン／オフを行うための電源ボタン８、撮影時に押圧操作されるレリーズボタン９、モードの切替え時に操作されるモード切替スイッチ１０等が設けられている。
【００１９】
レリーズボタン９は、２段押しの構造とされている。レリーズボタン９を軽く押圧（半押し）すると、フォーカシングなどの撮影準備動作が行われる。この状態でさらに押圧（全押し）すると、撮影動作が行われる。
【００２０】
コンパクト本体４には、ファンデーションやマスカラ等の化粧剤を収納する化粧剤収納部１１、眉描き用の眉描き鉛筆を収納する鉛筆収納部１２、各種設定及び表示画像の切り換えを行うためのメニューキー１３が設けられている。
【００２１】
図２は、本発明の化粧コンパクト２内部の電気的構成を示すブロック図であり、撮影レンズ５の背後には、撮影レンズ５を透過した被写体光が撮像されるＣＣＤ１４が配置されている。このＣＣＤ１４には、ＣＰＵ２０によって制御されるタイミングジェネレータ１９からタイミング信号（クロック信号）が入力される。ＣＣＤ１４から出力された信号は、相関二重サンプリング回路（ＣＤＳ）１５に入力され、ＣＣＤ１４の各セルの蓄積電荷量に正確に対応したＲ、Ｇ、Ｂの画像データとして出力される。ＣＤＳ１５から出力された画像データは、増幅器（ＡＭＰ）１６で増幅され、Ａ／Ｄ変換器１７でデジタルデータに変換される。
【００２２】
画像入力コントローラ１８は、データバス２１を介してＣＰＵ２０に接続されており、ＣＰＵ２０の命令によってＣＣＤ１４，ＣＤＳ１５，ＡＭＰ１６，Ａ／Ｄ変換器１７を制御する。また、Ａ／Ｄ変換器１７から出力された画像データをビデオメモリ２２、あるいはバッファメモリ２４に書き込む。
【００２３】
ビデオメモリ２２は、ＬＣＤ７をビューファインダとして使用する際に、解像度の低い画像データが一時的に記録される。ビデオメモリ２２に記録された画像データは、データバス２１を介してＬＣＤドライバ２３に送られ、ＬＣＤ７に表示される。バッファメモリ２４は、撮像された高解像度の画像データが一時的に記憶される。このバッファメモリ２４から読み出された画像データは、メモリコントローラ２５によって駆動制御されるデータリーダによりＲＡＭ（記憶手段）２６に記憶される。
【００２４】
画像信号処理回路２７は、撮像された高解像度の画像データがバッファメモリ２４内に記憶されている間に、例えば階調変換、色変換、画像の超低周波濃度成分の階調を圧縮するハイパートーン処理、粒状を抑制しながらシャープネスを強調するハイパーシャープネス処理等の画像処理を施す。
【００２５】
顔パーツ識別検出部３１は、画像データがバッファメモリ２４内に記憶されている間に、記憶された画像データに基づいて、撮影された人物（以下、対象者と称する）の複数の顔パーツ（目、鼻、唇等）を識別してそれぞれの位置及びサイズを検出し、検出した顔パーツ検出データを画像データに付加する。すなわち、ＲＡＭ２６には、顔パーツ検出データが付加された画像データが記憶される。
【００２６】
画像補正部３２は、モード切替スイッチ１０を操作して化粧コンパクト２を化粧支援モードに切り換えたことに応答して、画像データを補正するものである。画像補正部３２は、図３に示すＲＡＭ２６に記憶された画像データ（以下、記憶画像データと称する）における対象者の顔パーツ（例えば、目）のサイズと、図４（Ａ）に示すバッファメモリ２４に記憶された画像データ（以下、新画像データと称する）における対象者の目のサイズとが一致するように、新画像データの表示画像サイズを補正する。例えば、新画像データにおける対象者の目のサイズが、記憶画像データにおける対象者の目のサイズよりも小さい場合には、新画像データを拡大ズームする補正を行う。なお、ＲＡＭ２６に画像データが複数記憶されている（記憶画像データが複数ある）場合には、ユーザは、メニューキー１３を操作して、１つの記憶画像データを選択する。
【００２７】
図４（Ｂ）に示すように、画像補正部３２により新画像データが補正されると、ＣＰＵ（制御手段）２０は、記憶画像データの記憶画像Ｐ１（図３及び図４（Ｂ）に実線で示す画像）と、新画像データの新画像Ｐ２（図４（Ａ）に実線で示し、図４（Ｂ）に点線で示す画像）とを、目の位置が一致するように重ねてＬＣＤ７に表示する。このとき、記憶画像Ｐ１の上に新画像Ｐ２を表示する。また、ＣＰＵ２０は、記憶画像Ｐ１と新画像Ｐ２とを区別するために、例えば、新画像Ｐ２を点滅状態で表示する。これにより、ユーザは、記憶画像Ｐ１と新画像Ｐ２とを、容易に区別することができる。なお、上記した点滅表示に代えて、色を変えて表示したり、交互に表示して、記憶画像Ｐ１と新画像Ｐ２とを区別するようにしてもよく、適宜変更可能である。
【００２８】
図２に示すように、化粧コンパクト２内部には、化粧範囲一致判定部（判定手段）３３が設けられており、化粧範囲一致判定部３３は、記憶画像データにおける対象者の顔に施された化粧範囲としての眉描き範囲（以下、記憶眉描き範囲と称する）と、補正された新画像データにおける対象者の顔に施された眉描き範囲（以下、新眉描き範囲と称する）とを検出し、検出した２つの眉描き範囲を比較して、一致しているか否かを判定する。化粧範囲一致判定部３３は、一致していると判定した場合には、一致信号をＣＰＵ２０に入力し、一致していないと判定した場合には、ズレ量を算出してズレ量に応じた不一致信号をＣＰＵ２０に入力する。
【００２９】
ＣＰＵ２０は、一致信号が入力されたことに応答して、「眉描き範囲は一致しています」というコメント画像をＬＣＤ７に表示し、不一致信号が入力されたことに応答して、ズレ量に応じたコメント、例えば上方に５ｍｍズレている場合には、「眉描き範囲が上方に５ｍｍズレています」というコメント画像４０を、ＬＣＤ７に表示する（図４（Ｂ）参照）。本実施形態では、ＬＣＤ７は、化粧範囲一致判定部３３の判定結果を報知する報知手段としても機能する。
【００３０】
上記のように構成された化粧コンパクト２の作用について説明する。ユーザ（対象者）が、自分の顔に眉描きを施し、化粧コンパクト２を撮影モードにし、レリーズボタン９を操作して自分の顔を撮影する。撮影した画像は、ＣＣＤ１４、ＣＤＳ１５、ＡＭＰ１６、Ａ／Ｄ変換器１７、画像入力コントローラ１８、データバス２１を介して、画像データとしてバッファメモリ２４に一時的に記憶される。なお、ユーザは、化粧コンパクト２を撮影モードにした状態で、ＬＣＤ７をビューファインダとして使用することにより、ＬＣＤ７に表示される自分の顔を見ながら化粧を施すことができる。
【００３１】
顔パーツ識別検出部３１は、画像データがバッファメモリ２４内に記憶されている間に、記憶された画像データに基づいて、対象者の複数の顔パーツ（目、鼻、唇）を識別してそれぞれの位置及びサイズを検出し、検出した顔パーツ検出データを画像データに付加する。そして、バッファメモリ２４に記憶された画像データは、メモリコントローラ２５によって駆動制御されるデータリーダによりＲＡＭ２６に記憶される。
【００３２】
ＲＡＭ２６に画像データを記憶させた以降（例えば、翌日）に、ユーザが、自分の顔に眉描きを施し、以前に施した眉描き範囲と一致しているか否かを判定する場合には、先ず、ユーザは、レリーズボタン９を操作して自分の顔を撮影する。撮影した画像は、画像データとしてバッファメモリ２４に一時的に記憶される。バッファメモリ２４に記憶された画像データは、顔パーツ識別検出部３１により検出された対象者の複数の顔パーツ（目、鼻、唇）それぞれの位置及びサイズの顔パーツ検出データが付加される。この状態で、ユーザが、モード切替スイッチ１０を操作して化粧コンパクト２を化粧支援モードに切り換えると、画像補正部３２は、ＲＡＭ２６に記憶された記憶画像データにおける対象者の目のサイズと、バッファメモリ２４に記憶された新画像データにおける対象者の目のサイズが一致するように、新画像データの表示画像サイズを補正する。
【００３３】
画像補正部３２により新画像データが補正されると、ＣＰＵ２０は、記憶画像Ｐ１と新画像Ｐ２とを、目の位置が一致するように重ねてＬＣＤ７に表示する。このとき、記憶画像Ｐ１の上に新画像Ｐ２を表示し、さらには、記憶画像Ｐ１と新画像Ｐ２とを区別するめに、新画像Ｐ２を点滅状態で表示する。
【００３４】
化粧範囲一致判定部３３は、記憶画像データの記憶眉描き範囲と、補正された新画像データの新眉描き範囲とを検出し、検出した２つの眉描き範囲を比較して、一致しているか否かを判定する。化粧範囲一致判定部３３は、一致していると判定した場合には、一致信号をデータバス２１を介してＣＰＵ２０に入力し、一致していないと判定した場合には、ズレ量を算出してズレ量に応じた不一致信号をＣＰＵ２０に入力する。
【００３５】
ＣＰＵ２０は、一致信号が入力されたことに応答して、「眉描き範囲は一致しています」というコメント画像をＬＣＤ７に表示する。
【００３６】
一方、ＣＰＵ２０は、不一致信号が入力されたことに応答して、ズレ量に応じたコメント画像、例えば上方に５ｍｍズレている場合には、「眉描き範囲が上方に５ｍｍズレています」というコメント画像４０をＬＣＤ７に表示する。
【００３７】
このように、ＲＡＭ２６に記憶された記憶画像データにおける対象者の目のサイズと、バッファメモリ２４に記憶された新画像データにおける対象者の目のサイズとが一致するように、画像補正部３２で新画像データを補正した後、記憶画像Ｐ１と新画像Ｐ２とを、目の位置が一致するように重ねてＬＣＤ７に表示するから、ユーザは、以前に施した化粧と現在施している化粧との違いを容易に認識することができ、記憶画像Ｐ１の眉描き範囲と新画像Ｐ２の眉描き範囲とが一致するように、眉描きを施すだけで容易に、以前に施した化粧と同じ化粧を施すことができる。
【００３８】
また、ＣＰＵ２０は、新画像Ｐ２を点滅状態で表示するから、ユーザは、記憶画像Ｐ１と新画像Ｐ２とを、容易に区別することができる。
【００３９】
さらに、化粧範囲一致判定部３３は、記憶眉描き範囲と、新眉描き範囲とが一致しているか否かを判定し、一致していると判定されたときには、ＣＰＵ２０は、「眉描き範囲は一致しています」というコメント画像をＬＣＤ７に表示するから、ユーザは、容易に、以前に施した化粧と現在施している化粧との一致を認識することができる。
【００４０】
また、化粧範囲一致判定部３３で一致していないと判定されたときには、ＣＰＵ２０は、ズレ量に応じたコメント画像、例えば上方に５ｍｍズレている場合には、「眉描き範囲が上方に５ｍｍずれています」というコメント画像４０をＬＣＤ７に表示するから、ユーザは、容易に、以前に施した化粧と現在施している化粧とが一致していないことを認識することができ、さらには、そのズレ量も認識することができる。
【００４１】
なお、上記実施形態では、記憶画像データと新画像データとにおいて対象者に施された眉描き範囲が一致しているか否かを判定したが、一致しているか否かを判定する化粧範囲は、眉描き範囲に限定されることなく、口紅塗布範囲、マスカラ塗布範囲、ファンデーション塗布範囲、頬紅塗布範囲、アイシャドー塗布範囲等、適宜変更可能である。
【００４２】
また、上記実施形態では、記憶画像データとしてユーザ自身の顔を撮影した画像データを用いたが、これに限定されることなく、例えば、モデルやタレント等の画像データを、ＲＡＭ２６に記憶させ、これらの画像データを、記憶画像データして用いるようにしてもよい。
【００４３】
さらに、上記実施形態では、化粧範囲一致判定部３３の判定結果を、ＬＣＤ７に表示したが、これに限定されることなく、化粧範囲一致判定部３３の判定結果を報知することができればよく、例えば、化粧コンパクト２に設けられたスピーカから、音声を発するようにしてもよい。
【００４４】
また、上記実施形態では、本発明を化粧コンパクト２に実施したが、本発明は、デジタルカメラや、カメラ付き携帯電話等にも実施可能である。
【００４５】
図５に他の実施形態を示す。上記実施形態のものと同様の構成部材には同一の符号を付し、その詳細な説明を簡略化する。この実施形態では、化粧コンパクト２は、対象者に施した化粧が満足できるものであるかを判定する。図５（Ａ）に示すように、ユーザが化粧前の自分の顔を撮影した化粧前画像データの化粧前画像Ｐ３をＬＣＤ７に表示し、この化粧前画像Ｐ３に基づいて、ユーザがメニューキー１３を操作して、対象者の顔の特定範囲Ｒ（例えば、化粧で隠すシミＳの範囲）を決定する。そして、決定した特定範囲Ｒを示す特定範囲データを化粧前画像データに付加した後、化粧前画像データをＲＡＭ２６に記憶する。本実施形態では、メニューキー１３は、対象者の顔の特定範囲Ｒを決定する決定手段としても機能する。
【００４６】
次に、ユーザは、満足する化粧（シミＳを隠す化粧）を施した自分の顔を撮影する。図５（Ｂ）に示すように、撮影した化粧満足画像Ｐ４はＬＣＤ７に表示され、化粧満足画像データとしてバッファメモリ２４に一時的に記憶される。この化粧満足画像データには、顔パーツ識別検出部３１により検出された対象者の複数の顔パーツ（目、鼻、唇）それぞれの位置及びサイズの顔パーツ検出データが付加される。この状態で、化粧コンパクト２を化粧支援モードに切り換えると、化粧満足画像データにおける対象者の目のサイズと、ＲＡＭ２６に記憶された化粧前画像データにおける対象者の目のサイズとが一致するように、画像補正部３２は、化粧満足画像データの表示画像サイズを補正する。
【００４７】
そして、化粧前画像データで決定した特定範囲データを、化粧満足画像データに対しても適用し、ＣＰＵ２０は、化粧満足画像データにおける対象者の顔全体の濃度Ａを算出し、濃度Ａに基づいて、特定範囲Ｒの濃度Ａ１、濃度Ａ１を下回る濃度の範囲の平均濃度Ａ２、濃度Ａ１を上回る濃度の範囲の平均濃度Ａ３を算出し、これら濃度Ａ１、平均濃度Ａ２、平均濃度Ａ３の各データを化粧満足画像データに付加した後、化粧満足画像データをＲＡＭ２６に記憶する。本実施形態では、ＣＰＵ２０は、特定範囲Ｒ内の画像データを解析する解析手段としても機能する。
【００４８】
ＲＡＭ２６に化粧満足画像データを記憶させた以降（例えば、翌日）に、ユーザが、自分の顔に化粧を施したときに、ユーザは、自分の顔を撮影する。撮影した画像は、判定画像データとしてバッファメモリ２４に一時的に記憶される。この判定画像データには、顔パーツ識別検出部３１により検出された対象者の複数の顔パーツ（目、鼻、唇）それぞれの位置及びサイズの顔パーツ検出データが付加される。この状態で、化粧コンパクト２を化粧支援モードに切り換えると、判定画像データにおける対象者の目のサイズと、ＲＡＭ２６に記憶された化粧前画像データにおける対象者の目のサイズとが一致するように、画像補正部３２は、判定画像データの表示画像サイズを補正する。そして、化粧前画像データで決定した特定範囲データを、判定画像データに対しても適用し、ＣＰＵ２０は、判定画像データにおける対象者の顔全体の濃度Ｂを算出し、濃度Ｂに基づいて、特定範囲Ｒの濃度Ｂ１、濃度Ｂ１を下回る濃度の範囲の平均濃度Ｂ２、濃度Ｂ１を上回る濃度の範囲の平均濃度Ｂ３を算出する。
【００４９】
ＣＰＵ２０は、（平均濃度Ｂ３−平均濃度Ｂ２）≦（平均濃度Ａ３−平均濃度Ａ２）を満たしているか否かを判定する。ＣＰＵ２０は、満たしていると判定した場合には、今回の化粧は満足いくもの（シミＳを隠せている）である旨のコメント画像をＬＣＤ７に表示し、満たしていないと判定した場合には、今回の化粧は満足いくものではない（シミＳを隠せていない）旨のコメント画像を、ＬＣＤ７に表示する。これにより、ユーザは、容易にシミＳを隠す化粧を施したか否かを認識することができる。本実施形態では、ＣＰＵ２０は、解析結果としての平均濃度の算出結果（濃度Ｂ、濃度Ｂ１、平均濃度Ｂ２、平均濃度Ｂ３）が、予め設定された要素を満足しているか否かを判定する判定手段としても機能する。
【００５０】
なお、前記特定範囲Ｒは、シミＳの範囲に限定されることなく、化粧により隠したいシワの範囲、ホクロの範囲、そばかすの範囲、あざの範囲等、適宜変更可能であり、特定範囲を複数にすることも可能である。
【図面の簡単な説明】
【００５１】
【図１】本発明を実施した化粧コンパクトを示す正面斜視図である。
【図２】化粧コンパクト内部の電気的構成を示すブロック図である。
【図３】記憶画像データを表示したＬＣＤを示す正面図である。
【図４】新画像データを表示したＬＣＤと、新画像データ及び記憶画像データを重ねて表示したＬＣＤとを示す正面図である。
【図５】化粧前画像データを表示したＬＣＤと、化粧満足画像データを表示したＬＣＤとを示す正面図である。
【符号の説明】
【００５２】
２  化粧コンパクト（化粧支援装置）
６  ＣＣＤカメラユニット（撮影手段）
７  ＬＣＤ（表示手段）
１０  モード切換スイッチ
１３  メニューキー
２０  ＣＰＵ（制御手段）
２６  ＲＡＭ（記憶手段）
３１  顔パーツ識別検出部（顔パーツ識別検出手段）
３２  画像補正部（補正手段）
３３  化粧範囲一致判定部（判定手段）
【図１】
2008022154.tif 000003
【図２】
2008022154.tif 000004
【図３】
2008022154.tif 000005
【図４】
2008022154.tif 000006
【図５】
2008022154.tif 000007